(57)【要約】【課題】  減法混色の３原色以外の特別色を加えて画像を形成する場合、有彩色に着目して色材を決定する色相決定方法を提供する。【解決手段】  カラー画像記録装置において、所定の色材によって構成される第１の記録色群と、該第１の記録色群を構成する色材以外の色材によって構成される第２の記録色群により画像を形成する場合、前記第１の記録色群の色材が形成する複数の色相角の各々隣り合う色相角間を略２分する複数の色相角のうち少なくとも１つ以上を、前記第２の記録色群に含まれる色材が形成する色相角とし、使用される色材の色相を決定する。【選択図】        図２
2005260843.tif 000002
【特許請求の範囲】
【請求項１】
所定の色材によって構成される第１の記録色群と、該第１の記録色群を構成する色材以外の色材によって構成される第２の記録色群により画像を形成するカラー画像記録装置において使用される色材の色相を決定する色相決定方法において、前記第１の記録色群の色材が形成する複数の色相角の各々隣り合う色相角間を略２分する複数の色相角のうち少なくとも１つを、前記第２の記録色群に含まれる色材が形成する色相角とすることを特徴とする色相決定方法。
【請求項２】
所定の色材によって構成される第１の記録色群と、該第１の記録色群を構成する色材以外の色材によって構成される第２の記録色群により画像を形成するカラー画像記録装置において使用される色材の色相を決定する色相決定方法において、前記第１の記録色群に含まれる色材のうち色相面内で隣り合う略等量の２つの色材により生成される複数の２次色のうち少なくとも１つと同じ色相を、前記第２の記録色群に含まれる色材の色相とすることを特徴とする色相決定方法。
【請求項３】
請求項１または請求項２に記載の色相決定方法において、前記第２の記録色群に含まれる少なくとも１つの色材は、該色材に色相面内で隣り合う２つの前記第１の記録色群に含まれる少なくとも１つの色材に比べて高明度であることを特徴とする色相決定方法。
【請求項４】
請求項１乃至３のいずれかに記載の色相決定方法において、前記第１の記録色群はシアン、マゼンタ、イエローのうち少なくとも２つの色材を含むものであり、前記第２の記録色群はレッド、グリーン、ブルーのうち少なくとも１つの色材を含むものであることを特徴とする色相決定方法。
【請求項５】
請求項１乃至３のいずれかに記載の色相決定方法において、前記第１の記録色群はレッド、グリーン、ブルーのうち少なくとも２つの色材を含むものであり、前記第２の記録色群はシアン、マゼンタ、イエローのうち少なくとも１つの色材を含むものであることを特徴とする色相決定方法。
【請求項６】
所定の色材によって構成される第１の記録色群と、該第１の記録色群を構成する色材以外の色材によって構成される第２の記録色群により画像を形成するカラー画像記録装置において使用される色材の色相を決定する色相決定方法において、前記第２の記録色群に含まれる少なくとも１つの色材は、色空間内の特定領域の色相角範囲に含まれる色相角あるいは特定色と略同じ色相角であり、かつ、該色材による色再現範囲内に該特定領域あるいは該特定色を含むことを特徴とする色相決定方法。
【請求項７】
請求項６に記載の色相決定方法において、前記特定色を人の肌の色、青空、葉の緑などの記憶色とし、前記色空間内の特定領域を該特定色の色領域とすることを特徴とする色相決定方法。
【請求項８】
所定の色材によって構成される第１の記録色群と、該第１の記録色群を構成する色材以外の色材によって構成される第２の記録色群により画像を形成するカラー画像記録装置において使用される色材の色相を決定する色相決定装置において、前記第１の記録色群の色材が形成する複数の色相角の各々隣り合う色相角間を略２分する複数の色相角のうち少なくとも１つ以上を、前記第２の記録色群に含まれる色材が形成する色相角とする色相決定手段を有することを特徴とする色相決定装置。
【請求項９】
所定の色材によって構成される第１の記録色群と、該第１の記録色群を構成する色材以外の色材によって構成される第２の記録色群により画像を形成するカラー画像記録装置において使用される色材の色相を決定する色相決定装置において、前記第１の記録色群に含まれる色材のうち色相面内で隣り合う略等量の２つの色材により生成される複数の２次色のうち少なくとも１つと同じ色相を、前記第２の記録色群に含まれる色材の色相とする色相決定手段を有することを特徴とする色相決定装置。
【請求項１０】
請求項１乃至７の何れか一項に記載の色相決定方法をコンピュータが制御可能にプログラミングしたことを特徴とする色相決定プログラム。
【請求項１１】
請求項１０に記載の色相決定プログラムを記録したコンピュータ読み取り可能な記録媒体。
【発明の詳細な説明】
【技術分野】
【０００１】
本発明は、色相決定方法、色相決定装置、プログラムおよび記録媒体に関し、より詳しくは、減法混色の３原色以外の特別色を加えて、画像を形成するカラー画像記録装置用特別色の色相決定技術を適用した外部からの画像情報を入力することによって画像形成することが可能なカラーファクシミリ、カラーインクジェットプリンタ、カラー複写機や、コンピュータ上で稼動するカラープリンタ用ソフトウェアなどに関する。
【背景技術】
【０００２】
従来、カラープリンタ等の画像出力装置では、画像を形成する記録剤（カラートナーやカラーインク等）の色は、減法混色の３原色であるシアン（Ｃ）、マゼンタ（Ｍ）、イエロー（Ｙ）の３色、またはそれらにブラック（Ｋ）を加えた４色である場合が多い。この場合、画像出力装置は、入力信号（レッド（Ｒ）、グリーン（Ｇ）、ブルー（Ｂ））を、Ｃ、Ｍ、Ｙの３色、またはＫを加えた４色に変換し、それぞれの色の記録剤によって画像形成を行う。
しかし、近年、カラープリンタの普及によって、より高画質への要求が高まってきた。特に、普通紙においては、紙の特性のためにインクの発色が悪く、その濃度や彩度が低いことが問題になっている。即ち、従来のＣＭＹＫの４色では、記録剤に使われる染料等の色剤の発色特性によって、再現できる色に限りがあり、より鮮やかな色の再現が難しい。
ところで、画像を形成するための記録剤として、水が主体のインクを使用するインクジェット記録装置においては、単位面積当たりのインク打ち込み量が多くなると、異色境界のにじみや、記録紙が水を吸うことによる波打ち現象が生じ、画像品位の低下を招くという欠点がある。
さらに、インクを大量に使用するので、ランニングコストが高くなるという欠点がある。
上記欠点を克服するために、従来、ＣＭＹＫに加えてレッド（Ｒ）、オレンジ（Ｏ）、グリーン（Ｇ）、ブルー（Ｂ）、バイオレット（Ｖ）等の特別色を使用する技術が開示されている。例えば、シアンの記録剤とイエローの記録剤とを混合することによって、従来表現していたグリーンを、特別色としてのグリーンの記録剤のみを使用することによって表現することができるので、記録媒体への記録剤の付加量が減る。
したがって、異色境界のにじみや、記録媒体の波打ちによる画像品位の低下を防ぐことができ、インクやトナーの節約になる。さらに、基本色の混合で得られる色よりも彩度の高い特別色インクを用いることによって、より鮮やかな画像を得ることができる。
【０００３】
特許文献１の技術は、カラー画像を構成する画素の色データと、ＹＭＣＫの基本４色の色材によって再現可能な基準色データとを比較し、各画素の色を、基本４色の色材によって再現可能か否かを判断し、基本４色の色材によって再現不能であれば、基本４色の色材と基本４色以外の予め定めた特別色とを用いて、その画素を印刷する方法である。
特許文献２の技術は、画像信号ＲＧＢを、Ｃ´Ｍ´Ｙ´に色変換した後、６原色Ｃ、Ｍ、Ｙ、Ｒ、Ｇ、Ｂに振り分け、この６色の色材でプリントを行う方法である。
いずれの技術にしても、その目的は、色再現範囲を拡大し、正確な色再現をすることにある。しかし、上記特許文献には、使用する特別色記録剤の色相に関して、具体的な方法が記載されていない。
これに対して、特許文献３の技術は、基本色のＣＭＹに加えて、基本色と一定の割合で重ね合わせたときに、予め決められたプリントシステム固有の無彩色に近づく色相の特別色を少なくとも１つ備えることにより、記録媒体への記録剤の付与を少なくし、高画質で低ランニングコストであって、高彩度な画像が得られる方法である。
一方、特許文献４および特許文献５の技術は、２次色以上の混色した色の印刷データを生成し、そのデータによって少なくとも一部を置き換えた印刷データを生成する方法である。
【特許文献１】特開平０６−２３７３５１号公報
【特許文献２】特開平１１−０６９１７６号公報
【特許文献３】特開２００１−２３２８６０公報
【特許文献４】特開２００２−１５４２３９公報
【特許文献５】特開２００２−１５４２４０公報
【発明の開示】
【発明が解決しようとする課題】
【０００４】
しかしながら、上記従来技術では、有彩色に着目して色材を決定する技術については開示されていないものであった。例えば、上記特許文献３では、反対色の組み合せがグレーになるように色材の色を決め、条件にあった色材を使用するものであり、たとえばグリーンから黒へのグラデーションで粒状感が少なく調色の手間をなくすなど有彩色から無彩色にかけて着目したものであったため、有彩色の各色相間について保証されていないという問題がある。
本発明は、上述の実情を考慮してなされたものであって、減法混色の３原色以外の特別色を加えて画像を形成する場合、有彩色に着目して色材を決定する色相決定方法、色相決定装置、プログラムおよび記録媒体を提供することを目的とする。
【課題を解決するための手段】
【０００５】
上記の課題を解決するために、請求項１に記載の発明は、所定の色材によって構成される第１の記録色群と、該第１の記録色群を構成する色材以外の色材によって構成される第２の記録色群により画像を形成するカラー画像記録装置において使用される色材の色相を決定する色相決定方法において、前記第１の記録色群の色材が形成する複数の色相角の各々隣り合う色相角間を略２分する複数の色相角のうち少なくとも１つ以上を、前記第２の記録色群に含まれる色材が形成する色相角とすることを特徴とする。
請求項２に記載の発明は、所定の色材によって構成される第１の記録色群と、該第１の記録色群を構成する色材以外の色材によって構成される第２の記録色群により画像を形成するカラー画像記録装置において使用される色材の色相を決定する色相決定方法において、前記第１の記録色群に含まれる色材のうち色相面内で隣り合う略等量の２つの色材により生成される複数の２次色のうち少なくとも１つと同じ色相を、前記第２の記録色群に含まれる色材の色相とすることを特徴とする。
請求項３に記載の発明は、請求項１または請求項２に記載の色相決定方法において、前記第２の記録色群に含まれる少なくとも１つの色材は、該色材に色相面内で隣り合う２つの前記第１の記録色群に含まれる少なくとも１つの色材に比べて高明度であることを特徴とする。
【０００６】
請求項４に記載の発明は、請求項１乃至３のいずれかに記載の色相決定方法において、前記第１の記録色群はシアン、マゼンタ、イエローのうち少なくとも２つの色材を含むものであり、前記第２の記録色群はレッド、グリーン、ブルーのうち少なくとも１つの色材を含むものであることを特徴とする。
請求項５に記載の発明は、請求項１乃至３のいずれかに記載の色相決定方法において、前記第１の記録色群はレッド、グリーン、ブルーのうち少なくとも２つの色材を含むものであり、前記第２の記録色群はシアン、マゼンタ、イエローのうち少なくとも１つの色材を含むものであることを特徴とする。
請求項６に記載の発明は、所定の色材によって構成される第１の記録色群と、該第１の記録色群を構成する色材以外の色材によって構成される第２の記録色群により画像を形成するカラー画像記録装置において使用される色材の色相を決定する色相決定方法において、前記第２の記録色群に含まれる少なくとも１つの色材は、色空間内の特定領域の色相角範囲に含まれる色相角あるいは特定色と略同じ色相角であり、かつ、該色材による色再現範囲内に該特定領域あるいは該特定色を含むことを特徴とする。
請求項７に記載の発明は、請求項６に記載の色相決定方法において、前記特定色を人の肌の色、青空、葉の緑などの記憶色とし、前記色空間内の特定領域を該特定色の色領域とすることを特徴とする。
【０００７】
請求項８に記載の発明は、所定の色材によって構成される第１の記録色群と、該第１の記録色群を構成する色材以外の色材によって構成される第２の記録色群により画像を形成するカラー画像記録装置において使用される色材の色相を決定する色相決定装置において、前記第１の記録色群の色材が形成する複数の色相角の各々隣り合う色相角間を略２分する複数の色相角のうち少なくとも１つ以上を、前記第２の記録色群に含まれる色材が形成する色相角とする色相決定手段を有することを特徴とする。
請求項９に記載の発明は、所定の色材によって構成される第１の記録色群と、該第１の記録色群を構成する色材以外の色材によって構成される第２の記録色群により画像を形成するカラー画像記録装置において使用される色材の色相を決定する色相決定装置において、前記第１の記録色群に含まれる色材のうち色相面内で隣り合う略等量の２つの色材により生成される複数の２次色のうち少なくとも１つと同じ色相を、前記第２の記録色群に含まれる色材の色相とする色相決定手段を有することを特徴とする。
請求項１０に記載の発明は、請求項１乃至７の何れか一項に記載の色相決定方法をコンピュータが制御可能にプログラミングしたプログラムであることを特徴とする。
請求項１１に記載の発明は、請求項１０に記載のプログラムを記録したコンピュータ読み取り可能な記録媒体であることを特徴とする。
【発明の効果】
【０００８】
本発明によれば、有彩色に着目し、ＲＧＢ（入力）の色材をＣＭＹＫ（出力）の色材に基づいて決定でき、色相間における色材の混在による粒状感を低減して、画質が向上し、さらには記録剤の使用量を減らすことができので、にじみ等の画質低下が減り、ランニングコストが低下するという効果がある。
さらに、ＲＧＢの色相角をＣＭＹ間の色相角を２分する角度とするようにすれば、処理の簡易化を実現し、色相方向のグラデーションが滑らかであり、高彩度の色材も使用可なので再現域を広げることもできる。
また、ＲＧＢをＣＭＹのうち２色により再現される２次色の色相とするようにすれば、色材の混在部の違和感なく、処理の簡易化を実現し、色相方向のグラデーションが滑らかになり、また、色材の使用量が減り、より低ランニングコストとすることができる。
また、ＲＧＢを高明度に設定することで、特にハイライト領域における色再現範囲を広げることができ、色材の重ね合わせによる再現域の減少を低減させることができる。
また、ＣＭＹのうち少なくとも２つの色材を含む記録色群から、ＲＧＢのうち少なくとも１つの色材を含む記録色群の色相を決定することができる。
逆に、ＲＧＢのうち少なくとも２つの色材を含む記録色群から、ＣＭＹのうち少なくとも１つの色材を含む記録色群の色相を決定することができる。
また、ＲＧＢが色相面で見て、特定色や特定領域に一部中間領域が重なるようにして、特定色や特定領域を再現するのに使用する色材数を減らすことができ、特定色や記憶色（例えば、肌色や青空、葉の緑など）に代表される特定領域の色再現を向上させることができる。
【発明を実施するための最良の形態】
【０００９】
以下、図面を参照して、本発明の実施形態を詳細に説明する。
＜実施形態１＞
図１は、本発明に係る色相決定装置を搭載する画像記録装置を示すブロック図である。
本実施形態では、基本色に加える特別色として、レッド（Ｒ）、グリーン（Ｇ）、ブルー（Ｂ）を使用し、この特別色であるＲ、Ｇ、Ｂの色相を決定する例について、以下、説明する。
この画像記録装置は、ＣＰＵ２１、メモリ２２、外部記憶部２３、入力部２４、印刷部２５が内部バス２０によって相互に接続された構成となっている。
ＣＰＵ２１は、メモリ２２に格納されているプログラムを実行することによって、入力部２４で入力された画像データに対して、後述する色処理、量子化処理を実行する。
このプログラムは、外部記憶部２３に記憶されるかまたは外部装置（不図示）から供給される様にしても良い。印刷部２５は、このプログラムで色処理を施した画像データを用紙等へ印刷記録する。
図２は、ＣＰＵ２１における画像処理動作の機能ブロック図であり、入力されるＲ、Ｇ、Ｂ各色８ビット（２５６階調）画像データを、Ｃ、Ｍ、Ｙ、Ｋ、Ｒ、Ｇ、Ｂ各色１ビットデータとして出力する処理動作を行う。
色変換処理部３１は、入力部２４で入力された、ディスプレイ等発光体の加法混色の３原色Ｒ、Ｇ、Ｂ各色８ビットデータを、３次元のルックアップテーブル（ＬＵＴ）によって、印刷部２５で用いるＣ、Ｍ、Ｙ、Ｋ、Ｒ、Ｇ、Ｂ各色８ビットデータに変換する。
この色処理に用いられる３次元ＬＵＴは、離散的にデータを保持しており、保持しているデータ間を公知の補間処理で求める。
出力γ補正部３２は、単位面積当たりの印字ドット数と出力特性（反射濃度等）との関係が多くの場合に線形関係とはならないので、色処理が施されたＣ、Ｍ、Ｙ、Ｋ、Ｒ、Ｇ、Ｂ各色８ビットデータに１次元ＬＵＴによって出力γ補正を施す。これにより、Ｃ、Ｍ、Ｙ、Ｋ、Ｒ、Ｇ、Ｂ８ビットの入力レベルとそのときの出力特性との線形関係とが保証された、出力機器の有する色材Ｃ、Ｍ、Ｙ、Ｋ、Ｒ、Ｇ、Ｂ各色８ビットの画像データに変換される。
量子化処理部３３は、Ｃ、Ｍ、Ｙ、Ｋ、Ｒ、Ｇ、Ｂ各色８ビットのデータを誤差拡散法やディザ法によって、Ｃ、Ｍ、Ｙ、Ｋ、Ｒ、Ｇ、Ｂ各色１ビットのデータに量子化処理する。この処理は、印刷部２５が２値記録装置であるため行われるものである。
【００１０】
次に、本実施形態で使用する特別色インクの色相を決定する方法について説明する。
図３は、ＹＭＣに対してＲＧＢの色相角を決定した場合の例であり、色相平面で表したものである。ＹとＭからＲ、ＭとＣからＢ、ＣとＹからＧを決めており、それぞれの中間の色相角となるようにしている。ここで、中間の色相角でなく一方に片寄った色相角であると、近くの色との間ではデータが細かくとれるが、離れた色との間では粗くなってしまう。
例えば、Ｙに近いＲであればＹとの間ではデータが細かくとれるが、Ｍとの間では粗くなる。このような色空間内におけるデータの粗密は、階調とびや色むらの発生につながる。本発明のように中間の色相角とすることで印刷データを色相面内においてばらつき無くとることができ、色相間のグラデーションが滑らかとなる。
また、予めＹＭＣそれぞれの中間の色相角と略同じＲＧＢとすることでデータの調色の手間が省け、処理の簡易化を行うことができる。
ＣＭＹおよびＲＧＢの色材に対して、予めパッチを出力し測色しておくなどして、各色材の色再現範囲を調べておき、その結果に基づきＣＭＹの略中間の色相角であるＲＧＢの色材を選択する。
このように一方を決めて他方を決定してもよいし、全色材の再現範囲データからＣＭＹＲＧＢをまとめて色空間内に配置（決定）してもよい。
上記実施形態では、例えば、Ｒの色相角をＹとＭの色相角の略中間にする場合、各色の色度点は均等色空間上で表されていることを前提としている。つまり、均等色空間であれば、ＹとＭの色相角の略中間である色Ｒは、ＹおよびＭと等しい色味の差を与える。
したがって、色相角を決定する色空間が十分に均等ではない場合には、主観評価実験を行って、例えば、ＹとＲ、ＭとＲ間の主観的な色味の差が等しくなる色相角を測定し、これを第２の色材の色相角とすればよい。
【００１１】
次に、ＹＭＣに対してＲＧＢの色相を決定する場合について、図４を用いて説明する。
図４では、ＹとＭからＲ、ＭとＣからＢ、ＣとＹからＧを決めており、それぞれ２色で再現される２次色と略同じ色相となるようにしている。
色相決定の処理手順は、ＹＭＣ各色材の色再現範囲の代わりにＹ＋Ｍ、Ｍ＋Ｃ、Ｃ＋Ｙの色再現範囲について予め調べておき、例えばＲでは、ＹとＭで再現される色相のうち、最大彩度点と同じＲとする。この場合のＹとＭの色材比率は略同量とする。
このようにすればＹとＲ、ＭとＲの間の色相における色再現がＹＭ（、ＣＫ）での再現に略近くなり、ＹＭとＲの置き換えを容易にし、色材の使用量を軽減することができる。
なお、ＲＧＢの再現範囲は、図４中破線で示される６角形の領域の頂点（ＣＭＹによる最大彩度点）を含んでいれば、ＣＭＹによる再現範囲を越えていてもよい。
また、ＹＭＣの色材および記録材の特性などにより上述した実施形態でのＲＧＢの色相角とは一致しない場合がある。
次に、上述した実施形態の色相決定方法において、ＲＧＢのうち少なくとも１つの色材は、この色材に色相面内で隣り合う２つの色材（ＣＭＹのうちの２つの色材）のうち、少なくとも１つに比べて高明度である色材を用いる場合について説明する。
図５は、Ｍに対しては高い明度を持ち、Ｙに対しては低い明度であるＲをＬ＊Ｃ＊平面上に表したものである。
低明度（高濃度）側は、色材の重ね合わせで再現できる範囲であるが、高明度（ハイライト）側は色材が重なると再現できなくなる（再現範囲が狭い）ため、高明度の色材を使用する。
例えば、Ｙ、Ｍに対して、（Ｒの明度）＞（Ｍの明度）となるＲを使用する。図５中実線で示される部分がそれぞれの色材のみで再現される範囲であり、破線で示される部分がＫなどの色材を加えて再現されるダーク部であり、実線、破線、明度軸Ｌ＊で囲まれた三角形が各色材を使用した、ＹＲＭ色相での色再現範囲を示している。
＜実施形態２＞
【００１２】
一般に、多数の色の中でも記憶色と呼ばれる人間の肌色、空の青、草木の緑などの特定色は、人の記憶に残り易く、また、人がこうあるべきだという印象を抱いているから、画像全体に与える影響が大きい。
また、一般に同じ色でも、観察する地域（人種）、天候、照明、その他の観察条件に応じて見え方が異なってくる。
本実施形態２では、特定色や肌色などの記憶色の再現が良くなるように色材を決定する。また、対象範囲を設定することにより、良好にそれらの色再現を行う。
図６は、領域１、２、３に対して、Ｒ１、Ｂ１、Ｇ１を決定する様子を表したものである。ここで、領域１の色相角Ｈ１−１、Ｈ１−２の範囲内にＲ１の色相角があるものとし、再現したい色領域に対して、ＲＧＢなど特別色の色材による再現範囲が重なるようにすると、選択した特別色のみを多く使用して、その領域に使用する色材を再現できるため、色材の混在による色のばらつきなどを減らし、色再現や画質を向上させることができる。
例えば、対象範囲の中心の色相角としてもよいし、範囲内の代表色を決めてその色と略同じ色相角としてもよい。
一方、特定色の色相角と略同じ色相角とする場合に、色空間内で特定色の周囲の領域で、人の目で識別できるか否かの閾値程度の色差のある領域を対象範囲として、その色相角を設定してもよい。
また、対象領域はその色空間において、連続的なものであってもよいし、複数の色点を含む離散的なものであってもよい。
また、領域１´に対して再現を良好にするためにＲ１の色材を使用するなど、対象となる領域が中間になるように色材を決定してもよい。なお、対象領域の周辺における色の滑らかな変化を考えて基本色であるＣＭＹの色再現域の外郭付近あるいは再現域外にまで到達する色材であればなおよい。
【００１３】
図７は、対象領域に対して色材Ｒ１およびＲ２による再現域を示したものである。それぞれ実線、破線、明度軸Ｌ＊で囲まれた三角形が各色材を使用した色再現範囲であり、Ｒ１の再現域であれば対象となる領域を含んでいるため、使用される色材として適当である。
図６および図７に示される条件を満たす色材を選択することで対象となる領域の再現を向上させることができる。
本実施形態においては、特定の色領域に対するＲＧＢの色材の色相を決定しているが、いわゆる「ＲＧＢ」以外の色材についてその色相を決定するものであってもよい。
それぞれの記憶色の範囲は、特開２００２−２７９４１６公報、特開平１１−１７９６３号公報、特開平１１−８７７３号公報などに記載の記憶色モデルなどで示される範囲である。記憶色範囲については、予め範囲を決めておくほか、観察条件等により再設定する方法もあり、この場合どちらでも構わない。
上述した実施形態では、ＣＭＹのインクが決まっているときに、ＲＧＢのインクの色相を決めている。しかし、ＲＧＢインクに良好な染料があり、ＲＧＢインクが先に決まっているときには、逆に、ＲＧＢインクからＣＭＹインクを決定してもよい。この場合も、上記と同様に実現することができる。
また、ＲＧＢ３色に限らず、１色でもよいし多色でもよく、上記選択条件に合致しない色材との組み合せであってもよい。
【００１４】
本発明は、上述した実施形態のみに限定されたものではない。上述した実施形態を構成する各機能をそれぞれプログラム化し、あらかじめＲＯＭ等の記録媒体に書き込んでおき、画像記録装置に上記ＲＯＭ等を装着して、これらのプログラムを実行することによって、本発明の目的が達成されることは言うまでもない。
この場合、記録媒体から読み出されたプログラム自体が上述した実施形態の機能を実現することになり、そのプログラムおよびそのプログラムを記録した記録媒体も本発明を構成することになる。
また、汎用のコンピュータに上記プログラムをロードして実行することによって上述の実施形態の機能を実現し、その結果を画像記録装置で出力するようにしてもよい。
なお、プログラムを格納する記録媒体としては半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等のいずれであってもよい。
あるいは、ネットワークを介して接続したサーバコンピュータの記憶装置に格納されたプログラムを直接供給するようにしてもよい。この場合、このサーバコンピュータの記憶装置も本発明の記録媒体に含まれる。
また、ロードしたプログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
このように、上述した実施形態の機能をプログラム化して流通させることによって、コスト、可搬性、汎用性を向上させることができる。
【図面の簡単な説明】
【００１５】
【図１】本発明に係る色相決定装置を搭載した画像記録装置を示すブロック図。
【図２】画像処理動作の機能ブロック図。
【図３】ＹＭＣに対してＲＧＢの色相角を決定する場合を説明する図。
【図４】ＹＭＣに対してＲＧＢの色相を決定する場合を説明する図。
【図５】再現される色材を、色相面内で隣り合う２つの色材のうち少なくとも１つに比べて高明度の色材を用いることを説明する図。
【図６】再現したい色領域と特別色の色材の再現範囲との関係を説明する図。
【図７】対象領域に対して色材Ｒ１およびＲ２による再現域を示す説明図。
【符号の説明】
【００１６】
２０  内部バス、２１  ＣＰＵ、２２  メモリ、２３  外部記憶部、２４  入力部、２５  印刷部、３１  色変換処理部、３２  出力γ補正部、３３  量子化処理部
【図１】
2005260843.tif 000003
【図２】
2005260843.tif 000004
【図３】
2005260843.tif 000005
【図４】
2005260843.tif 000006
【図５】
2005260843.tif 000007
【図６】
2005260843.tif 000008
【図７】
2005260843.tif 000009